(57)【特許請求の範囲】
【請求項１】
内容物の取出口を有する容器本体と、前記容器本体にヒンジ部を介して連結され、前記取出口を閉鎖可能な蓋と、前記容器本体と前記蓋との間に配置されて前記蓋を開く方向に付勢する蓋付勢手段と、前記容器本体に所定のヒンジ部を介して回動自在に取り付けられた操作部品と、前記操作部品を付勢するばね手段とを具備し、前記蓋及び前記操作部品にそれぞれ設けられた一対の爪部を噛み合わせて当該蓋を閉じる位置に拘束可能とされ、前記操作部品の操作により前記爪部の噛み合いを解除可能とされ、かつ前記爪部が噛み合う方向へ前記操作部品が前記ばね手段にて付勢された蓋付き容器において、
前記一対の爪部のうち、いずれか一方の爪部における他方の爪部との接触部分が、当該他方の爪部の対向面に沿って接触しながら当該他方の爪部の先端まで延び、かつ、当該一方の爪部が当該他方の爪部の先端を越えて裏面側に回り込む形状を有し、
前記操作部品は前記容器本体の凹部に装着され、前記爪部の噛み合いが外れる位置を越えて前記操作部品を操作したときに、前記凹部のエッジと接触して前記操作部品の操作が制限され、前記操作部品の操作が前記凹部のエッジにて制限された状態で前記先端が前記凹部の周囲における前記容器本体の外面よりも突出し、
前記一方の爪部及び前記他方の爪部が互いに噛み合う領域に対して、前記ヒンジ部の軸芯が下方かつ前方に離れていることを特徴とする蓋付き容器。
【請求項２】
前記ばね手段として、前記ヒンジ部の軸線と直交する方向の幅を持つ板ばね状のばね部が設けられていることを特徴とする請求項１に記載の蓋付き容器。
【請求項３】
前記操作部品は、前記ヒンジ部を挟んで前記爪部の反対側の先端が前記ばね部が設けられた位置よりも突出していることを特徴とする請求項２に記載の蓋付き容器。
【発明の詳細な説明】
【技術分野】
【０００１】
本発明は、容器本体の天面側に設けられた取出口を開閉可能な上蓋にて閉じるようにした容器に関する。
【背景技術】
【０００２】
多数枚のウエットティッシュを所定枚数ずつ順に取り出せるように折り畳んで収容した袋詰め物品のための樹脂製容器として、例えば特開平１１−１８０４６０号公報（以下、先行文献１と呼ぶ。）に開示されている蓋付き容器が知られている。この公報の容器は、容器本体の底部をほぼ全面的に開口させ、その開口部を容器本体から分離可能な底蓋にて閉じることにより、袋詰めされたウエットティッシュを交換可能としたものである。容器本体の天面側にはウエットティッシュの取出口が形成され、その取出口は容器本体に対してヒンジ結合された上蓋にて閉じられる。容器本体には上蓋を開く方向に付勢する上蓋付勢手段と、その上蓋付勢手段の力に抗して上蓋を閉じた位置に保持する保持部とが設けられている。ユーザーが保持部を押し込み操作するとその保持部と上蓋との噛み合いが外れ、上蓋が上蓋付勢手段によって開かれる。つまり、上蓋はいわばワンプッシュで開放され、ユーザーにとっては使い勝手がよい。
【発明の開示】
【発明が解決しようとする課題】
【０００３】
ところで、先行文献１に記載の容器の保持部は、例えば図３２に示すように容器本体２００と一体の操作部２０１に設けられた爪部２０２と、上蓋２０３に設けられた爪部２０４とを上下方向に噛み合わせて上蓋２０３を保持している。操作部２０１の先端をユーザーが押し込むと本体側の爪部２０２が上蓋２０３から後退し、それにより上蓋２０３の拘束が解除されて上蓋２０３が開放される。
【０００４】
しかしながら、上記のような爪部２０２，２０４同士の噛み合い構造では、容器に何らかの衝撃が加わると爪部２０２，２０４同士の噛み合いが簡単に外れ、上蓋２０３がばね力で開放される。上蓋が組み込まれた容器本体を一つずつ生産ラインに載せて搬送するときにこうした現象が生じると、容器本体の搬送姿勢が安定せず、搬送不良を招く。
【０００５】
また、特開平９−５８７２５号公報（以下、先行文献２と呼ぶ。）には、上蓋の爪部と噛み合う爪部を備えた開放用操作部材を容器本体に対してヒンジ結合し、その操作部材に設けたばね部材により開放用操作部材を爪部同士が噛み合う方向に付勢する容器が開示されている。しかし、その容器の爪部は図３２に示すものと同様であり、噛み合いが外れやすいことに変わりはない。しかも、先行文献２の容器は、上蓋の爪部を押し上げるフランジが開放用操作部材に設けられている。従って、容器の落下時の衝撃で操作部材が回転すると上蓋を押し上げる力が発生し、その力が爪部同士の噛み合いを外すように作用するので、上蓋がより一層開き易くなることがある。また、開放用操作部材のばね部が片持ち状態で設けられているため、繰り返し使用に対するばね部の強度に不安がある。
【０００６】
特開２０００−２１１６６１号公報（以下、先行文献３と呼ぶ。）には、上蓋を閉じた状態に保持する爪部を上蓋と容器本体とに設け、かつ、容器本体には開放操作用の操作部材をヒンジを介して取り付けた容器が開示されている。この容器では、操作部材の押し込み操作が上蓋に対して上向きの力として伝達され、それにより上蓋側の爪部が容器本体側の爪部を乗り越えて上蓋の拘束が解除される。操作部材には、これを非操作状態、つまり上蓋を押し上げない状態に保持するためのばね部材が一体に成形されている。しかし、そのばね部材が爪部同士を相互に押し付けることはない。
【０００７】
本発明は、内容物の取出口を覆う蓋を容器本体に対して確実に拘束でき、振動等による蓋の意図しない開放を防止できる蓋付き容器を提供することを目的とする。
【０００８】
また、本発明は、蓋を開くために操作される操作部品を容器本体に回動自在に取り付ける場合において、その操作部品が爪部を噛み合いを外す方向に不用意に移動して蓋が意図せずに開放されるおそれがない蓋付き容器を提供することをも目的とする。
【課題を解決するための手段】
【０００９】
以下、本発明について説明する。なお、本発明の理解を容易にするために添付図面の参照符号を括弧書きにて付記するが、それにより本発明が図示の形態に限定されるものではない。
【００１０】
本発明の蓋付き容器は、内容物の取出口（１０）を有する容器本体（２）と、前記容器本体にヒンジ部（４４）を介して連結され、前記取出口を閉鎖可能な蓋（４）と、前記容器本体と前記蓋との間に配置されて前記蓋を開く方向に付勢する蓋付勢手段（５）と、前記容器本体に所定のヒンジ部（６４）を介して回動自在に取り付けられた操作部品（６）と、前記操作部品を付勢するばね手段（６５）とを具備し、前記蓋及び前記操作部品にそれぞれ設けられた一対の爪部（４３，６３）を噛み合わせて当該蓋を閉じる位置に拘束可能とされ、前記操作部品の操作により前記爪部の噛み合いを解除可能とされ、かつ前記爪部が噛み合う方向へ前記操作部品が前記ばね手段にて付勢された蓋付き容器（１）において、前記一対の爪部のうち、いずれか一方の爪部（４３）における他方の爪部（６３）との接触部分が、当該他方の爪部の対向面（６３ａ）に沿って接触しながら当該他方の爪部の先端（ＡＰ）まで延び、かつ、当該一方の爪部が当該他方の爪部の先端を越えて裏面側に回り込む形状を有し、前記操作部品は前記容器本体の凹部（３０）に装着され、前記爪部の噛み合いが外れる位置を越えて前記操作部品を操作したときに、前記凹部のエッジ（３０ｄ）と接触して前記操作部品の操作が制限され、前記操作部品の操作が前記凹部のエッジにて制限された状態で前記先端が前記凹部の周囲における前記容器本体の外面よりも突出し、前記一方の爪部及び前記他方の爪部が互いに噛み合う領域（Ｐ）に対して、前記ヒンジ部の軸芯（Ａｘ）が下方かつ前方に離れていることを特徴とするものである。
【００１１】
この発明の蓋付き容器によれば、爪部が二方向に噛み合うことができる。従って、衝撃や振動が容器に加わっても爪部の噛み合いが外れにくくなり、意図しない蓋の開放を防止することができる。容器本体には所定のヒンジ部を介して回動自在な操作部品が取り付けられているから、ヒンジ部を軸として操作部品を所定角度回転させることにより蓋が開放される。爪部が噛み合う方向へ操作部品を付勢するばね手段を備えているため、操作部材を、爪部が外れる方向へ逃げないように付勢し、意図しない蓋の開放をより確実に防止することができる。また、爪部の噛み合いが外れる位置を越えて操作部品を操作したときに容器本体の外面からの操作部品の突出部分が容器本体の凹部のエッジと接触して操作部品の操作が制限されるので、操作部品を付勢するばね手段の過度の変形を防止することができる。
【００１２】
本発明の蓋付き容器において、前記ばね手段として、前記ヒンジ部の軸線（ＡＸ）と直交する方向の幅を持つ板ばね状のばね部が設けられていてもよい。また、この場合には、前記操作部品は、前記ヒンジ部を挟んで前記爪部の反対側の先端が前記ばね部が設けられた位置よりも突出してもよい。
【発明の効果】
【００１３】
以上に説明したように、本発明の蓋付き容器によれば、爪部が二方向に噛み合うことができるので、衝撃や振動が容器に加わっても爪部の噛み合いが外れにくくなり、意図しない蓋の開放を防止することができる。また、蓋を開くために操作される操作部品は爪部が噛み合う方向に付勢されているから、その操作部品が爪部の噛み合いを外す方向に不用意に移動して蓋が意図せずに開放されるおそれがない。
【発明を実施するための最良の形態】
【００１４】
図１は本発明の一実施形態に係る容器の外観を示す斜視図であり、（ａ）は上蓋を閉じた状態を、（ｂ）は上蓋を開いた状態をそれぞれ示している。また、図２は平面図、図３は部分破断正面図、図４は右側面図である。まず、これらの図を参照して容器１の概略を説明する。
【００１５】
図１に示すように、本実施形態の蓋付き容器１は、容器本体２と、その容器本体２の底面側に配置される底蓋３と、容器本体２の天面側（図１において上面側）に配置される上蓋４とを有している。容器本体２の下端はほぼ全面的に開口し、その開口は底蓋３にて閉じられる。底蓋３を取り外すことにより、容器本体２の内部にはウエットティッシュの梱包物が装着される。
【００１６】
図５はその梱包物の断面図である。梱包物１００は、シール性を有する袋１０１の内部に、多数枚のウエットティッシュ１０２…１０２を、開口１０３から所定枚数ずつ（例えば一枚ずつ）連続的に取り出せるように折り畳んで収容した周知のものである。開口１０３はシール１０４にて塞がれており、そのシール１０４は使用時（すなわち、容器１への収容時）に剥がされる。
【００１７】
図１（ｂ）から明らかなように、容器本体２の上部には取出口１０が形成される。容器１内の梱包物１００に収容されたウエットティッシュ１０２はその取出口１０から所定枚数ずつ引き出される。周知のように、取出口１０には、ウエットティッシュ１０２の取り出しに伴って引き上げられる次のウエットティッシュ１０２の端部を保持するためのフラップ１１…１１が設けられる。フラップ１１の形状は図示のものに限らず、種々変更してよい。梱包物１００の開口１０３に、フラップ１１と同等の機能が備えられているときはフラップ１１を省略してもよい。
【００１８】
上蓋４はその後端部が容器本体２に対してヒンジ結合されることにより、容器本体２に回動自在に取り付けられる。容器本体２と上蓋４との間には、上蓋４を開く位置に付勢する蓋付勢手段としての板ばね５が配置される。また、容器本体２の前側にはプッシュボタン６が取り付けられる。プッシュボタン６は、板ばね５の力に抗して上蓋４を閉じた位置に保持する保持手段、及び上蓋４を開くために操作される解除操作手段として機能する。以上の容器１において、容器本体２、底蓋３、上蓋４及びプッシュボタン６は樹脂成形品であり、板ばね５は好適には天然又は合成ゴムにて構成される。但し、本発明の容器はこれらの材質にて構成されたものに限定されない。例えば、ゴム素材に代えばね鋼等を利用して板ばね５を形成してもよい。蓋付勢手段は板状のものに限らない。
【００１９】
次に、容器１の外観的な特徴について説明する。図１（ａ）及び図２にハッチングを付して示すように、上蓋４には、閉じたときに容器１の底面（底蓋３によって形成される面）と略平行となる矩形状の平面部７が設けられている。この平面部７は容器１を上下方向に積み重ねたときの安定性を確保するために設けられている。また、平面部７は、各種のラベルを貼り付ける面としても好適に機能する。金型内に予め配置されて樹脂成形品と一体化されるいわゆるインモールドラベルの取付位置としても平面部７は好適である。
【００２０】
一方、容器本体２の前後左右には側面１２ａ、１２ｂ、１２ｃ及び１２ｄ（側面１２ｂ及び１２ｃは図１において陰に隠れて現れない。）が設けられ、上蓋４の平面部７と容器本体２の前後左右の側面１２ａ〜１２ｄとの間には曲面部８ａ，８ｂ，８ｃ，８ｄが配置されている。そして、各曲面部８ａ，８ｂ，８ｃ，８ｄは上蓋４及び容器本体２の両者に亘って延びている。換言すれば、曲面部８ａ〜８ｄの一部は上蓋４に、残部は容器本体２にそれぞれ振り分けられている。
【００２１】
なお、図では、理解の便宜のために曲面部８ａ〜８ｄの相互の境界部分、側面１２ａ〜１２ｄの相互の境界部分、及び曲面部８ａ〜８ｄと側面１２ａ〜１２ｄとの境界部分のそれぞれに輪郭線を描いているが、実際にはこれらの輪郭部分にも曲面が配置される。また、容器１の安定感を印象付けるため、容器本体２の側面８ａ〜８ｄには、容器１の水平断面が上側に向かうほど漸次小さくなるように傾斜又は湾曲が付けられている。容器１の幅Ｗ、奥行きＤ及び高さＨ（図２〜図４参照）をおよそ１７０×１１０×７０ｍｍとしたとき、各曲面部８ａ〜８ｄの曲率半径は少なくとも３０ｍｍ以上に設定される。但し、曲率半径が異なる二以上の曲線を接合して曲面部８ａ〜８ｄを構成してもよい。また、平面部７の面積は、容器１の底面の面積に対して２０％以上確保することが望ましい。なお、平面部７は、容器平面の中央部に設けることが望ましい。平面部７の形状は矩形状に限らず、種々の形状にて設けることができる。
【００２２】
容器本体２の下部には、スタックライン１３が容器本体２を一周するように設けられている。スタックライン１３は、容器本体２の側面１２ａ〜１２ｄを所定量だけ外側にずらすことにより形成されている。図３のVI部を拡大して示した図６（ａ）から明らかなように、容器本体２の下端内面の四隅には凸部１４が形成されている。容器本体２を上下に積み重ねたとき、図６（ｂ）に示すように下側の容器本体２のスタックライン１３と上側の容器本体２の凸部１４とが当接する。これにより、容器本体２を上下方向に一定の間隔で整然と積み重ねることができる。なお、スタックライン１３と凸部１４との位置関係は、図７に示すように、容器本体２、上蓋４、板ばね５及びプッシュボタン６を組み合わせたサブアッセンブリ９を上下方向に積み重ねることができるように定められる。
【００２３】
容器本体２と底蓋３との連結部分は図６（ａ）に示すように構成される。すなわち、容器本体２の下端には、先端が拡大したリブ１５及びそのリブ１５よりも外側に突出するフランジ１６がそれぞれ形成されている。底蓋３の外周にはリブ１５を受け入れる溝部３ａが底蓋３を一周するように形成されている。リブ１５を溝部３ａに差し込むことにより、溝部３ａの外周側の壁部３ｂがリブ１５の拡大部分と噛み合い、それにより底蓋３が容器本体２に対して脱落することなく保持される。
【００２４】
次に、容器本体２と上蓋４との関係を説明する。図８は図３のVIII−VIII線に沿った断面図、図９は上蓋４及び板ばね５を省略した容器１の平面図、図１０は図３のＸ部の拡大図である。また、参考のため、上蓋４の詳細を図１１〜１７に示す。図１１は上蓋４の平面図、図１２は上蓋４の正面図、図１３は上蓋４の背面図、図１４は上蓋の右側面図、図１５は上蓋４の裏面図、図１６は上蓋４の前端部の拡大断面図、図１７は上蓋４の後端部の拡大断面図である。
【００２５】
図８及び図９に示すように、容器本体２の天面側には上蓋４の外周と形状を合わせて第１凹部（天面側凹部）２１が形成されている。第１凹部２１の底板２１ａは容器１の底面と平行であり、側板２１ｂはその底板２１ａとほぼ直交する。底板２１ａには、第１凹部２１よりも一段低められた第２凹部２２が形成されている。その第２凹部２２の底板２２ａに上述した取出口１０及びフラップ１１が形成されている。第２凹部２２の底板２２ａも容器１の底面と平行であり、側板２２ｂはその底板２２ａとほぼ直交する。第２凹部２２は全体として楕円状又は長円状に形成されている。図１（ｂ）、及び図１５によく示されているように、上蓋４の裏面には第２凹部２２と対応した楕円状又は長円状の閉鎖リブ４０が形成されている。図８及び図１０に示すように、上蓋４を閉じたとき、この閉鎖リブ４０が第２凹部２２の側板２２ｂの直ぐ内側に入り込む。これにより、取出口１０の周囲が閉鎖リブ４０及び側板２２ｂにて二重に取り囲まれ、容器１の取出口１０の周囲に関して実用上十分な密封性が確保される。
【００２６】
図１４及び図１５に示したように、閉鎖リブ４０は上蓋４の平面部７と前後の曲面部８ａ，８ｂとに亘って延びている。つまり、閉鎖リブ４０によって描かれる閉じた形状は、平面部７及び曲面部８ａ，８ｂにまたがって延びている。従って、平面部７と曲面部８ａ，８ｂとが閉鎖リブ４０によって一体化され、上蓋４に実用上十分な剛性が付与される。また、閉鎖リブ４０を平面部７の大きさに影響されることなく拡大し、それによりウエットティッシュ１０２の噛み込みが発生する頻度を減少させて容器１の使い勝手を向上させることができる。なお、上蓋４の裏面に閉鎖リブ４０とは別に補強用のリブを設けてもよい。
【００２７】
図１１及び図１５から明らかなように、上蓋４の外周は、上蓋４の前端から左右の後端に向かって緩やかな曲線を描いて延びる湾曲部４１と、その湾曲部４１の両端を直線状に結ぶ後端部４２とを組み合わせて構成されている。湾曲部４１は容器本体２の第１凹部２１の側板２１ｂと相似形の輪郭を描いて延び、それにより、上蓋４を閉じたときの上蓋４と容器本体２との隙間を必要最小限に抑えて曲面部８ａ〜８ｄの一体感を向上させている。そして、湾曲部４１の前端には、プッシュボタン６（図１参照）と噛み合う爪部４３が設けられている（図１６参照）。
【００２８】
湾曲部４１は容器本体２の背面側の曲面部８ｂまで延びている。また、湾曲部４１の後端（図１５において下端）には互いに平行な平行部４１ａ，４１ａが設けられ、それらの平行部４１ａにヒンジ軸４４，４４が設けられている。ヒンジ軸４４，４４は互いに同軸であり、その軸線は後端部４２の延びる方向と平行である。また、図１７から明らかなように、後端部４２には、上蓋４を閉じた状態でヒンジ軸４４の軸芯を越えて下方に延びるストッパフランジ４５が設けられている。さらに、上蓋４の裏面には板ばね５を取り付けるための２本の中空状のボス４６，４６が設けられている。なお、平行部４１ａ，４１ａの間の幅Ｗ２は、上蓋４の最大幅Ｗ１に対して８５％以上に設定される。
【００２９】
一方、図８及び図９から明らかなように、容器本体２の背面側（図８において右端側）には、上蓋４の後端部を受け入れるための第３凹部（背面側凹部）２３が形成されている。上蓋４の後端部４２が曲面部８ｂの存在によって、平面部７よりも下方に偏位しているため、第３凹部２３の底板２３ａは第１凹部２１の底板２１ａよりも低い位置にある。第３凹部２３の両端には、貫通していない袋状のヒンジ受け穴２４，２４が形成されている。これらのヒンジ受け穴２４に上蓋４のヒンジ軸４４を装着することにより、図１８に示すように上蓋４が容器本体２に対して開閉自在に取り付けられる。なお、第３凹部２３にはストッパ２５，２５が形成されている（図９参照）。図１８（ｂ）に示したように、上蓋４をその平面部７が容器１の底面とほぼ直交する状態まで開くとストッパフランジ４５の先端面４５ａがストッパ２５と当接し、それ以上の上蓋４の開放が阻止される。これにより、上蓋４の開閉範囲が適当な範囲に制限される。但し、ストッパ２５による開放制限位置は、平面部７が容器１の底面と直交する位置に限定されず、容器１の使用形態に応じて適宜に設定してよい。
【００３０】
図９に示すように、第３凹部２３の底板２３ａのほぼ中央には、板ばね５を取り付けるためのばね取付穴２６が形成されている。そのばね取付穴２６の前方には、第３凹部２３を前方に拡大するようにしてばね収容部２７が設けられている。ばね収容部２７の左右方向の幅は板ばね５の同一方向の幅よりも幾らか大きい。ばね収容部２７の前端の側板２７ａは第２凹部２２の側板２２ｂと面一である。図１８（ａ）及び（ｂ）に示すように、板ばね５の一端はばね取付穴２６に差し込まれ、他端は上蓋４のボス４６に取り付けられる。ボス４６には板ばね５を抜け止めするためのキャップ４７が取り付けられる。
【００３１】
図１８（ａ）に示すように、上蓋４を閉じたとき、板ばね５はその折り返し部５ａを容器１の前側に突き出すような姿勢でばね収容部２７に収容される。一方、図１８（ｂ）に示すように、上蓋４を開いたときには板ばね５がばね収容部２７から上方へ引き出されるが、その場合でも板ばね５は容器１の前方に膨らむような弧を描いて湾曲している。従って、上蓋４の開放に伴って後端部４２、特にストッパフランジ４５が第３凹部２３に入り込んでも、上蓋４のストッパフランジ４５と板ばね５とが干渉するおそれがない。しかも、ばね取付穴２６はストッパ２５とほぼ同一位置にあり、ばね取付穴２６から引き出された板ばね５がストッパ２５に当接したストッパフランジ４５の先端面４５ａよりも容器１の前側に逃げている。これにより、板ばね５と上蓋４の後端部４２との干渉がより確実に回避される。
【００３２】
なお、図８及び図１８に示したように、容器本体２の内面側にはばね取付穴２６に対応したボス２８が突出させて形成される。このボス２８は、上蓋４に曲面部８ｂを設けたことに伴って第１凹部２１よりも深く形成された第３凹部２３の底板２３ａからさらに下方に突出する。このようなボス２８が梱包物１００の袋１０１と接触して袋１０１が破れることがないように、ボス２８の両側には略半円状のリブ２９，２９が設けられている。なお、リブ２９の形状は半円状に限定されず、ボス２８の先端から基部に向かって末広がりの形状をボス２８の周囲に付与するものであればよい。
【００３３】
図８に示すように、プッシュボタン６は容器本体２のボタン取付凹部３０に装着されている。図２１及び図２２はそのプッシュボタン６の取付部分を拡大して示す図であり、図２１は平面図、図２２は断面図である。また、参考のため、容器本体２のボタン取付凹部３０の付近の詳細を図２３及び図２４に、プッシュボタン６の詳細を図２５〜２９にそれぞれ示す。さらに、プッシュボタン６と上蓋４との噛み合い部分を拡大した様子を図３０に示す。
【００３４】
図２５〜図２９から明らかなように、プッシュボタン６は、天板部６１と、その天板部６１の周囲に沿って延びる周板部６２とを備えている。天板部６１の上面はユーザーが指を添えるための操作面６１ａとして機能する。その操作面６１ａは中央が凹んだ曲面を描くように形成されている。天板部６１の前端側（図２５において下側）の外周６１ｂは弧状に湾曲し、後端側の外周６１ｃは上蓋４の湾曲部４１に合わせて凹んだ形状に形成されている。天板部６１の後端部の中央には、上蓋４の爪部４３と噛み合うための爪部６３が形成されている。また、周板部６２の左右の端部にはヒンジ軸６４，６４が形成されている。ヒンジ軸６４は互いに同軸である。さらに、天板部６１の下方にはばね部６５が形成されている。ばね部６５は弓形であり、その両端６５ａ，６５ａは周板部６２に一体的に接合される。ヒンジ軸６４，６４の軸線と、ばね部６５の弦、すなわち、ばね部６５の両端６５ａ，６５ａを結ぶ線とは互いに平行である。
【００３５】
ばね部６５の塑性変形を抑えるため、ばね部６５の長さは長いほど好ましい。その一方、天板部６１の前端側の外周６１ｂは弧状に湾曲しているため、プッシュボタン６の左右方向の幅は前端に向かうほど減少する。そこで、ばね部６５の両端６５ａ，６５ａと周板部６２との接合位置は、プッシュボタン６の前端よりも幾らか後退した位置に設定される。なお、プッシュボタン６を射出成形する場合、金型内のばね部６５と相補的なキャビティ内にて樹脂の流れが合流すると、その合流した位置に樹脂の接合面が生じ、その部分の強度が低下してばね部６５の耐久性に影響を与えるおそれがある。従って、ばね部６５を形成する金型においては、注入された樹脂がばね部６５を形成するためのキャビティの一方から他方へと流れるように樹脂注入用のゲート位置を定めることが望ましい。
【００３６】
一方、図２３及び図２４に示すように、容器本体２のボタン取付凹部３０は、第２凹部２２の底板２２ａよりも低い底板３０ａと、その底板３０ａと第１凹部２１の底板２１ａとの間に配置される側板３０ｂと、底板３０ａと曲面部８ａとの間に配置される側板３０ｃとに囲まれている。側板３０ｃはプッシュボタン６の外周６１ｂに沿って湾曲し、その左右の端部にはプッシュボタン６のヒンジ軸６４を受け入れるための袋状のヒンジ受け穴３１，３１が形成されている。また、底板３０ａには、プッシュボタン６のばね部６５を受け入れるためのばね受け溝３２が設けられ、その溝３２内にはばね部６５の中央６５ｂ（図２６参照）を所定位置に拘束するためのリブ３３が設けられている。
【００３７】
図２１及び図２２に示したように、プッシュボタン６はばね部６５をばね受け溝３２に、ヒンジ軸６４をヒンジ受け穴３１にそれぞれ嵌め込むことによりボタン取付凹部３０内にヒンジ軸６４を中心として回動可能に装着される。ばね部６５の復元力により、プッシュボタン６はヒンジ軸６４を中心として第１凹部２１に近付く方向（図２２の矢印Ｒ１方向）に付勢されている。上蓋４が閉じられると、その上蓋４の爪部４３を避けるようにしてプッシュボタン６が図２２の矢印Ｒ２方向に回転する。そして、爪部４３が爪部６３を乗り越えると、ばね部６５の力でプッシュボタン６が回動し、それにより図２２に示したように爪部６３，４３が相互に噛み合って上蓋４が閉じた状態に保持される。
【００３８】
上蓋４が閉じた状態において、ばね部６５にて形成される弧を含む平面を仮想したとき、その平面がプッシュボタン６の押し下げ方向とほぼ平行となるようにリブ３３はばね部６５を拘束する。このため、ばね部６５の弾性変形の方向がばね部６５によって形成される弧を押し広げる方向に保たれ、不規則な方向への変形によりばね部６５が切断する等の不都合が生じるおそれがない。なお、ばね部６５の変形方向を所定方向に保持する手段は、リブ３３に限定することなく種々変更してよい。例えば、溝３２の全体をばね部６５とほぼ同一幅に設定し、溝３２それ自身によりばね部６５の変形方向を制限してもよい。
【００３９】
図３０に詳しく示したように、爪部４３は爪部６３の対向面６３ａに沿って頂点（先端）ＡＰまで延び、さらにその頂点ＡＰを越えて当該爪部６３の裏面６３ｂ側に回り込む形状に形成されている。このような噛み合い構造としたため、容器１やそのサブアッセンブリ９を落としたとき等に上蓋４が誤って開くおそれが減少する。つまり、本実施形態の容器１によれば、爪部６３，４３が上下方向のみならず前後方向にも噛み合っているので、上蓋４が誤って開くおそれが少なく、上蓋の意図しない開放に起因する搬送エラーを防止し、生産効率を向上させることができる。
【００４０】
さらに、本実施形態の容器１では、図３０に示したように、爪部６３，４３が互いに噛み合う領域Ｐに対して、プッシュボタン６の回転中心となるヒンジ軸６４の軸芯ＡＸは下方かつ前方に離れている。このように噛み合い領域Ｐと軸芯ＡＸとの位置関係を設定することにより、プッシュボタン６を押したときに爪部６３が爪部４３に対して容器１の上方及び前方の両方向に逃げるようになる。従って、爪部６３を抱き込むように爪部４３を噛み合わせた形状であるにも拘わらず、プッシュボタン６を押し下げるだけの簡単な操作で爪部６３，４３の噛み合いを確実に外して上蓋４を開放することができる。
【００４１】
なお、図２２に示したように、プッシュボタン６の前端部６ａは容器本体２の外面より突出する。プッシュボタン６を押し下げたときにその前端部６ａがボタン取付凹部３０のストッパエッジ３０ｄに当接し、それによりプッシュボタン６の押し下げ操作が制限される。このようにプッシュボタン６の操作量を所定範囲に制限したので、ばね部６５が過度に撓んで塑性変形を生じるおそれを確実に排除できる。
【００４２】
プッシュボタン６の前端部は、プッシュボタン６の操作範囲の全てにおいて容器本体２の外面（ここでは曲面部８ａ）よりも突出している。従って、操作面６１ａに指を添えることなく、手の平や甲、あるいはそれ以外の部位をプッシュボタン６に引っ掛けて上蓋４を開放することもできる。このような操作性を重視するならば、例えば図３１に示すように、プッシュボタン６の操作面６１ａに突起部６１ｄを形成し、ユーザーがより容易に指等の部位を引っ掛けられるようにしてもよい。但し、プッシュボタン６の操作範囲の全域でプッシュボタン６の一部が容器１の外面から突出している必要はなく、爪部６３，４３の噛み合いが外れる位置、つまり図３０において爪部４３の軌跡線４８と爪部６３とが接する位置までプッシュボタン６を操作した時点で、そのプッシュボタン６の一部が容器１の外面から突出していればよい。
【００４３】
一方、プッシュボタン６が容器１の外面から突出していると、そのプッシュボタン６が不用意に押されたり、その周囲の物体がプッシュボタン６に接触して上蓋４が意図せずに開かれるおそれもある。このような上蓋４の意図せぬ開放を防止するためには、爪部６３，４３の噛み合いが外れる位置までプッシュボタン６を操作したときに、そのプッシュボタン６の全体が容器１の外面の内側に隠れるように構成するとよい。
【００４４】
以上の容器１においては、プッシュボタン６からばね部６５を分離し、別のばね部材によってプッシュボタン６を閉じる位置へ付勢してもよい。プッシュボタン６を容器本体２とを一体化し、そのプッシュボタン６の部分と容器本体２とを繋ぐ部分の肉厚を、ヒンジ軸６４に相当する位置に回転中心が一致するように調整してもよい。上蓋４のヒンジ軸４４は容器１の背面側で容器本体２と結合されてもよいし、天面側で結合されてもよい。板ばね５の個数は２以上であってもよい。ヒンジ軸４４とヒンジ受け穴２４，ヒンジ軸６４とヒンジ受け穴３１はそれぞれ軸と穴との関係を反対にしてもよい。
【００４５】
なお、上記の実施形態において、天面、底面、側面及び上蓋の語は、取出口を上向きにして容器を設置した場合を基準として各部の位置を相対的に特定したものに過ぎず、実際の使用時の各部の位置はこれらの用語によって限定されるものではない。例えば、本発明の蓋付き容器は、取出口を横向きにした状態で使用されてもよい。
【図面の簡単な説明】
【００４６】
【図１】本発明の一実施形態に係る容器の外観を示す斜視図であり、（ａ）は上蓋を閉じた状態を、（ｂ）は上蓋を開いた状態をそれぞれ示す。
【図２】蓋付き容器の平面図。
【図３】蓋付き容器の部分破断正面図。
【図４】蓋付き容器の右側面図。
【図５】蓋付き容器に内蔵されるウエットティッシュの梱包物の断面図。
【図６】容器本体の下端部付近の構成を示す図。
【図７】容器のサブアッセンブリを積み重ねた状態を示す図。
【図８】図３のVIII−VIII線に沿った断面図。
【図９】上蓋と板ばねとを省略した容器の平面図。
【図１０】図３のＸ部の拡大図。
【図１１】上蓋の平面図。
【図１２】上蓋の正面図。
【図１３】上蓋の背面図。
【図１４】上蓋の右側面図。
【図１５】上蓋の裏面図。
【図１６】上蓋の前端側の拡大断面図。
【図１７】上蓋の後端側の拡大断面図。
【図１８】上蓋と容器本体との連結部分を示す図。
【図１９】容器本体の内部に突出するボスの拡大図。
【図２０】図１９のXX方向からボスをみた状態を示す図。
【図２１】プッシュボタンの取付部分を拡大した平面図。
【図２２】プッシュボタンの取付部分を拡大した断面図。
【図２３】容器本体のボタン取付凹部の平面図。
【図２４】ボタン取付凹部の断面図。
【図２５】プッシュボタンの平面図。
【図２６】プッシュボタンの正面図。
【図２７】プッシュボタンの右側面図。
【図２８】プッシュボタンの背面図。
【図２９】プッシュボタンの断面図。
【図３０】上蓋とプッシュボタンとの噛み合い部分を拡大して示す図。
【図３１】プッシュボタンの変形例を図２１及び図２２に対応させて示す図。
【図３２】従来の上蓋の拘束部分の構成を示す断面図。
【符号の説明】
【００４７】
１  容器
２  容器本体（特定の構成部品）
３  底蓋
４  上蓋（相手部品）
５  板ばね（蓋付勢手段）
６  プッシュボタン（操作部品）
７  平面部
８ａ，８ｂ，８ｃ，８ｄ  曲面部
９  サブアッセンブリ
１０  取出口
１１  フラップ
１２ａ，１２ｂ，１２ｃ，１２ｄ  側面
２１  第１凹部（天面側凹部）
２１ａ  底板
２１ｂ  側板
２２  第２凹部
２２ａ  底板
２２ｂ  側板
２３  第３凹部（背面側凹部）
２３ａ  底板
２４  ヒンジ受け穴
２５  ストッパ
２６  ばね取付穴（ばね取付部）
２７  ばね収容部
２８  ボス
２９  リブ
３０  ボタン取付凹部
３０ａ  底板
３０ｂ  側板
３０ｃ  側板
３０ｄ  ストッパエッジ
３１  ヒンジ受け穴
３２  溝
３３  リブ
４０  閉鎖リブ
４１  湾曲部
４１ａ  平行部
４２  後端部
４３  爪部
４４  ヒンジ軸（ヒンジ部）
４５  ストッパフランジ
４５ａ  先端面
４６  ボス（ばね取付部）
６１  天板部
６１ａ  操作面
６１ｂ  前端側の外周
６１ｃ  後端側の外周
６１ｄ  突起部
６２  周板部
６３  爪部
６４  ヒンジ軸（ヒンジ部）
６５  ばね部（ばね手段）
６５ａ  ばね部の両端
６５ｂ  ばね部の中央
１００  ウエットティッシュの梱包物
１０１  袋
１０２  ウエットティッシュ
【図１】
0005078096.tif 000002
【図２】
0005078096.tif 000003
【図３】
0005078096.tif 000004
【図４】
0005078096.tif 000005
【図５】
0005078096.tif 000006
【図６】
0005078096.tif 000007
【図７】
0005078096.tif 000008
【図８】
0005078096.tif 000009
【図９】
0005078096.tif 000010
【図１０】
0005078096.tif 000011
【図１１】
0005078096.tif 000012
【図１２】
0005078096.tif 000013
【図１３】
0005078096.tif 000014
【図１４】
0005078096.tif 000015
【図１５】
0005078096.tif 000016
【図１６】
0005078096.tif 000017
【図１７】
0005078096.tif 000018
【図１８】
0005078096.tif 000019
【図１９】
0005078096.tif 000020
【図２０】
0005078096.tif 000021
【図２１】
0005078096.tif 000022
【図２２】
0005078096.tif 000023
【図２３】
0005078096.tif 000024
【図２４】
0005078096.tif 000025
【図２５】
0005078096.tif 000026
【図２６】
0005078096.tif 000027
【図２７】
0005078096.tif 000028
【図２８】
0005078096.tif 000029
【図２９】
0005078096.tif 000030
【図３０】
0005078096.tif 000031
【図３１】
0005078096.tif 000032
【図３２】
0005078096.tif 000033